(57)【特許請求の範囲】
【請求項１】
ガスタービン（１）及びこれに連結される発電機（２８）と、発電機（２９）に連結される多圧力蒸気タービン（６）用の高圧蒸気発生器及び低圧蒸気発生器とを有し、
ガスタービン（１）の後に、ガスタービン（１）の廃ガスを供給される第１の廃熱ボイラ（２）が結合され、この第１の廃熱ボイラ（２）内に、高圧供給水予備加熱器（３）、高圧蒸発器（２２）及び少なくとも１つの高圧蒸気過熱器（２３，２４）が設けられ、熱変換装置の後に結合される第２の廃熱ボイラ（１０）が設けられ、この廃熱ボイラ（１０）に高圧蒸発器（１６）が設けられ、蒸気導管（２１）を介してこの高圧蒸発器（１６）が、第１の廃熱ボイラ（２）に設けられる第１の高圧蒸気過熱器（２３）及び第２の高圧蒸気過熱器（２４）に結合され、
第２の高圧蒸気過熱器（２４）が、高圧蒸気導管（２０）を介して蒸気タービン（６）に結合されている、複合発電所において、
熱変換装置の低温の廃熱を持つ煙道ガスを通される第２の廃熱ボイラ（１０）内において、支持管システム（１３）及び高圧蒸気ドラム（１１）を備えた高圧蒸発器（１６）に加えて、支持管システム（１４）及び低圧蒸気ドラム（１２）を備えた低圧蒸発器（１７）が設けられ、この低圧蒸発器（１７）が、低圧蒸気導管（２５）を介して蒸気タービン（６）に結合されている
ことを特徴とする、複合発電所。
【請求項２】
第１（２３）の高圧蒸気加熱器（２３）と第２の高圧蒸気過熱器（２４）との間に、表面冷却器（４６）を有する高圧蒸気ドラム（５）が配置されていることを特徴とする、請求項１に記載の複合発電所。
【請求項３】
廃熱ボイラ（２）の冷たい方の部分に、両方の廃熱ボイラ（２）及び（１０）のための供給水予備加熱を行なうエコノマイザ（３）が配置されていることを特徴とする、請求項１に記載の複合発電所。
【請求項４】
供給水容器（９）が、供給水道管（３８）を介して、高圧供給水ポンプ（３１）及びエコノマイザ（３）に結合されていることを特徴とする、請求項３に記載の複合発電所。
【請求項５】
エコノマイザ（３）が、供給水道管（４４）を介して第２の廃熱ボイラ（１０）の高圧蒸気ドラム（１１）に供給され、かつ供給水道管（４５）を介して高圧蒸気ドラム（５）に結合されており、その際、三方弁（２６）を介して第１及び第２の廃熱ボイラ（２及び１０）へのそれぞれの供給水量の分配が行なわれることを特徴とする、請求項３又は４に記載の複合発電所。
【請求項６】
供給水容器（９）が、低圧供給水道管（３９）を介して、廃熱ボイラ（１０）の低圧供給水ポンプ（３２）及び低圧蒸気ドラム（１２）に結合されていることを特徴とする、請求項３ないし５の１つに記載の複合発電所。
【請求項７】
蒸気タービン（６）及び供給水容器（９）が、復水道管（３４）を介して、復水器（７）及び復水ポンプ（３３）に結合されていることを特徴とする、請求項３ないし６の１つに記載の複合発電所。
【請求項８】
復水道管（３４）内に、水−水−熱交換器（８）が配置されており、この熱交換器を通って高圧供給水道管（３８）が導かれていることを特徴とする、請求項７に記載の複合発電所。
【請求項９】
煙道ガス導管（３５）内において廃熱ボイラ（１０）の後に、煙道ガス浄化部（３６）及び吸出し送風機（１５）が配置されていることを特徴とする、請求項１に記載の複合発電所。
【請求項１０】
煙道ガス導管（３５）内において両方の廃熱ボイラ（２及び１０）の間に、排気ガス煙突（３７）が配置されていることを特徴とする、請求項９に記載の複合発電所。
【請求項１１】
ガスタービン（１）の排気ガス導管（４１）内において廃熱ボイラ（２）の入口に、補助バーナ（２７）が配置されていることを特徴とする、請求項１に記載の複合発電所。
【請求項１２】
補助バーナ（２７）が、導管（４２）を介して新鮮空気送風機（４，３０）に結合されていることを特徴とする、請求項１１に記載の複合発電所。
【請求項１３】
ガスタービン（１）と補助バーナ（２７）が、それぞれ天然ガス導管（４３）又はオイル導管に接続されていることを特徴とする、請求項１１又は１２に記載の複合発電所。
【発明の詳細な説明】
【０００１】
【発明の属する技術分野】
本発明は、ガスタービン及びこれに連結される発電機と、発電機に連結される多圧力蒸気タービン用の高圧蒸気発生器及び高圧蒸気発生器とを有し、ガスタービンの後に、ガスタービンの廃ガスを供給される第１の廃熱ボイラが結合され、この第１の廃熱ボイラ内に、高圧供給水予備加熱器、高圧蒸発器及び少なくとも１つの高圧蒸気過熱器が設けられ、熱変換装置の後に結合される第２の廃熱ボイラが設けられ、この廃熱ボイラに高圧蒸発器が設けられ、蒸気導管を介してこの高圧蒸発器が、第１の廃熱ボイラに設けられる第１の高圧蒸気過熱器及び第２の高圧蒸気過熱器に結合され、第２の高圧蒸気過熱器が、高圧蒸気導管を介して蒸気タービンに結合されている、複合発電所に関する。
【０００２】
【従来の技術】
電流発生のために熱変換プロセスから煙道ガスの低温廃熱を利用することは、複合動作する装置のあまり経済的でない効率のために、従来成功していない。
【０００３】
これらの廃熱源の比較的低いかつプロセス条件により大幅に変動する排気ガス温度は、従来わずかな蒸気パラメータしか可能にしない。蒸気タービンとの共同動作における発電機における電流発生の電気的効率は、適当な蒸気温度を達成する処置によって蒸気圧力に与えられる。
【０００４】
ドイツ連邦共和国特許出願公開第１９５２３０６２号明細書によれば、ガスタービン発電所と蒸気発電所を有する複合発電所が公知である。
【０００５】
ガスタービン発電所及び蒸気発電所を有するこの複合発電所において、炉を備えた蒸気発生器の蒸気及び／又はガスタービンの排気ガスが流通する廃熱ボイラの蒸気によって蒸気タービン装置が動作する。ガスタービン装置の圧縮可能な燃焼空気の制御可能な予備加熱のため、熱交換器が設けられている。複合発電所を部分負荷運転の際にもとくに経済的に動作させるために、ガスタービン装置の燃焼空気のための熱交換器は、蒸気発生器の煙道ガス通路内に配置されており、かつ復熱器として形成されており、その際、煙道ガスは、復熱器の管の回りを、かつ燃焼空気はこれらの管を通って導かれる。復熱器は、三方弁及び補助導管を介して、ガスタービン装置の圧縮機からガスバーナに通じる燃焼空気導管に接続されている。
【０００６】
これまで未公開のドイツ連邦特許出願題３４８６２．９号明細書によれば、ガスタービン及び多圧力蒸気タービン用の蒸気発生器を備えた火力発電所が公知であり、その際、ガスタービンの排気ガスは、廃熱ボイラに供給され、この廃熱ボイラは、ＨＤ蒸気出力を高めるために補助炉を装備しており、かつこの廃熱ボイラは、蒸気形成のために使われる熱交換器を含んでいる。経済的な方法でとくに負荷の変動する際にも、多圧力蒸気タービンのための蒸気を発生することを可能にするために、高圧蒸気の形成のために２つの噴射冷却器を有する前後に接続された３つのＨＤ過熱器段、及び中間圧力蒸気（ＺＤ）の形成のために噴射冷却部を有する２つのＺＤ過熱器段を設けることが考慮されている。ＨＤ過熱器又はＺＤ過熱器の最終段は、廃熱ボイラの同じ区間内に配置されており、その際、その管は、くし形に互いに交互に並べられている。第１のＺＤ過熱器段は、両方の第１のＨＤ過熱器段の間又はその後にある。ガスタービンの排気ガスを利用する第１の炉は、過熱器の最終段の範囲に、かつ第２の炉は、ＨＤ蒸発器の前に配置されており、その際、第１の炉は、第１のＺＤ過熱器段の出口における蒸気の温度に依存し、かつ第２の炉は、圧力に依存して、ＨＤ負荷によって制御される。
【０００７】
【発明が解決しようとする課題】
本発明の課題は、熱変換プロセスから、例えばプロセス排気ガスから、ごみ焼き炉及び類似のプロセスからの煙道ガスの低温廃熱を蒸気発生のために利用し、かつ全プロセスを煙道ガスの廃熱の利用によって改善された経済的な利用に供給する、このようなガス及び蒸気タービンを有する複合発電所における電流発生を構成することにある。
【０００８】
【課題を解決するための手段】
課題は、特許請求の範囲の請求項１の特徴部分の特徴によって、次のようにして解決される。すなわち熱変換装置の低温の廃熱を持つ煙道ガスを通される第２の廃熱ボイラ内において、支持管システム及び高圧蒸気ドラムを備えた高圧蒸発器に加えて、支持管システム及び低圧蒸気ドラムを備えた低圧蒸発器が設けられ、この低圧蒸発器が、低圧蒸気導管を介して蒸気タービンに結合されている。特許請求の範囲従属請求項は、本発明の有利な構成を示している。
【０００９】
本発明によれば、例えばセメント及び石灰岩製造の際、鉄鋼焼結装置において、鋼製造の際、ごみ焼き、とりわけ方法において、熱変換プロセスからの煙道ガスの低温廃熱は、煙道ガスが浄化段に、かつその後浄化されかつ冷却されて大気中に達する前に、まずいわゆるプロセス廃熱ボイラに供給される。
【００１０】
プロセス廃熱ボイラにおける高度な熱利用は、ＨＤ蒸発器及びＮＤ蒸発器システムの設置によって行なわれる。
【００１１】
凝縮を防止するために、両方の蒸気流は、それぞれの蒸発器システムの支持管を介して導かれ、かつ過熱される。この過熱されたＨＤ蒸気は、結合導管を介して、廃熱ボイラ内においてガスタービン排気ガス側に発生される蒸気に混合される。
【００１２】
両方の蒸気は、一緒になってガスタービン廃熱ボイラの少なくとも両方の過熱器において、所望の蒸気温度に過熱される。結合導管を介して過熱された蒸気は、蒸気タービンの高圧段に到達する。
【００１３】
プロセス廃熱ボイラ内において発生されるＮＤ蒸気は、ＮＤドラムを介しかつ結合導管を介して供給水容器に到達し、ここにおいて熱的ガス抜きが行なわれる。残りのＮＤ蒸気は、結合導管を介して蒸気タービンのＮＤ段に到達する。煙道ガス側の圧力損失の克服は、後に接続されたプロセスに統合された吸出し送風機によって行なわれる。
【００１４】
供給水予備加熱は、ガスタービン廃熱ボイラの端部における共通のエコノマイザにおいて行なわれる。三方弁を介して供給水量は、それぞれのＨＤドラムに分配される。
【００１５】
外部にある水−水−熱交換器によって供給水は、復水器から到来する凝縮物によって、ＨＤエコノマイザにおいてこの時に存在する低い水入口温度によりガスタービン廃熱ボイラにおけるきわめて高い廃熱利用が可能であるところまで冷却される。
【００１６】
電流発生は、ＤＬＮ燃焼室を有するガスタービンの発電機において、かつ多圧力蒸気タービンの発電機において行なわれる。
【００１７】
ガスタービンの故障の際に、廃熱ボイラは、いわゆる擬似的な廃熱運転で動作する。この時、新鮮空気送風機は、ガスタービン運転におけるものと同じ排気ガスが存在するような空気量を、廃熱ボイラに送る。
【００１８】
その際、廃熱ボイラの入口における補助バーナは、必要な蒸気状態が達成されるまで、冷たい空気を加熱する。
【００１９】
本発明による複合発電所は、ＨＤ及びＮＤ蒸発器を介してプロセス排気ガス側において廃熱利用を後続のわずかな過熱に結合する。
【００２０】
蒸気の完全な過熱は、ガスタービン排気ガス側において、２分割された過熱器及びＨＤ蒸発器及び共通のＨＤエコノマイザを介して行なわれる。ＨＤエコノマイザは、ガスタービン排気ガス側においてＨＤ蒸発器に、かつ熱変換装置の煙道ガス側においてＨＤ蒸発器に供給を行なう。ガスタービン排気ガス側における高い廃熱利用により、全体として高い電気的効率を有する電流発生を行なうことができる。
【００２１】
ＮＤ蒸気の一部は、熱的ガス抜きのために使われ、残りは流され、その際、蒸気圧力及び蒸気温度は、かなりの程度までプロセスガスデータによって決められる。
【００２２】
従来の装置回路の欠点は、次のことから明らかである：
−純粋に低温の廃熱からの電流発生は、電気的効率を制限し、
−熱変換装置の煙道ガス側の補助炎によって、廃熱蒸気発生器の前のガス温度の上昇が達成され、この上昇は、さらに大きな電流発生に通じるが、さらに大きなエネルギー損失及び排気ガス損失を引起こし（追加的な煙道ガス量）、
−ほとんどの場合にほこりを含んだ排気ガス内において高い補助炉出力によって、ほこり粒子の灰軟化点が達成され、このことは、加熱面における大きな汚れの問題に通じることがある。
【００２３】
本発明による複合発電所の利点は、次のようにまとめることができる：
−ガスタービンへの補助炎の移動により、ガスタービンの電流発生による電気的効率の上昇が行なわれ、同時にガスタービンの高い排気ガス温度は、さらに高い高熱蒸気温度を可能にし、したがって追加的に蒸気タービン側における効率の上昇を可能にし、
−ガスタービン排気ガス側における蒸気発生器システムによる熱変換装置からの強力に振動する蒸気量（例えばプロセス条件による変動する排気ガス温度又は排気ガス量）の高い蒸発度、
−このような発電所プロセスのために使用される多軸ガスタービンの排気ガス特性及び高いロータ運動学は、ガスタービンの大きな負荷変化の際にも相応する制御によって、蒸気タービンに許容された蒸気温度をきわめて狭い限界内において一定に維持することを可能にし、
−プロセス側（熱変換装置）の故障又は停止の際に、ガスタービン廃熱ボイラを介した自給自足の電流発生が可能であり、
−過熱すべき総合蒸気出力に整合された電気出力を有する多軸ガスタービンの使用による融通性のある電流発生、
−ガスタービンにおける乾燥低ＮＯｘバーナ（例えば１３ｐｐｍのＮＯｘを有するハイブリッドバーナ）の使用による低いＮＯｘ値、
−特殊ごみの熱廃棄の際の適用範囲の拡張、ここにおいて通常、高い有害物質負荷（バナジウム、塩素及びアルカリ）の際にわずかな排気ガス大量流を有する高いプロセス温度が支配的である。材料上の理由により熱変換装置の煙道ガス側における高い過熱は不可能であり、それによりガスタービン排気ガス側への過熱の移動が提供され、
−プロセス排気ガスデータによる蒸気パラメータの制限はなく、
−電流発生における効率のポテンシャルは、ほぼ６０％にあり、
−熱変換装置からプロセス制御された廃熱は、常に生じるので、これは、経済的な利用に供給される贈られた熱ポテンシャルと考えられる。
【００２４】
【発明の実施の形態】
本発明を、概略的な方法方式によって詳細に説明し、その際、電流発生は、ガスタービン１の発電機２８及び蒸気タービン６の発電機２９を介して行なわれる。
【００２５】
図示しない装置から、例えば石灰岩のか焼装置、鉱石焼結装置、鋼製造装置又はごみ焼き装置から、低温の廃熱が、熱変換装置からプロセスガス廃熱ボイラ１０に導かれる。高い熱利用は、ＨＤ蒸発器１６及びＮＤ蒸発器システム１７の設置によって行なわれる。
【００２６】
凝縮を防止するために、それぞれの蒸発器システム１６及び１７の支持管１３及び１４を介して両方の蒸気流は、わずかに過熱される。この過熱されたＨＤ蒸気は、結合導管２１を介して、ＨＤ蒸発器２２及びＨＤドラム５によってガスタービン廃熱ボイラ２内において発生される蒸気に混合される。
【００２７】
両方の蒸気は、両方の過熱器２３及び２４において所望の蒸気温度に過熱される。結合導管２０を介して過熱された蒸気は、蒸気タービン６に到達する。
【００２８】
プロセス廃熱ボイラ１０において発生された低圧蒸気は、ＮＤドラム１２を介しかつ結合導管２５を介して供給水容器９に到達し、ここにおいて熱的ガス抜きが行なわれる。残りのＮＤ蒸気は、結合導管１９を介して蒸気タービン６に到達する。
【００２９】
プロセス廃熱ボイラ１０のための煙道ガス側の圧力損失の克服は、廃熱動作の際に送風機のためにさらに低い動作温度が存在するので、熱変換装置に統合された既存の吸出し送風機１５によって問題なく引受けられる。
【００３０】
供給水予備加熱は、ガスタービン排気ガス側２における共通のエコノマイザ３において行なわれる。三方弁２６を介して供給水量は、それぞれのＨＤドラム５及び１１に分配される。
【００３１】
外部にある水−水−熱交換器８により供給水は、復水器７から到来する凝縮物によって、エコノマイザ３においてこの時に存在する低い水入口温度によってガスタービン廃熱ボイラ２におけるきわめて高い廃熱利用が可能であるまで冷却される。
【００３２】
電流発生は、−すでに述べたように−ガスタービン１の発電機２８及び蒸気タービン６の発電機２９によって行なわれる。ガスタービン１の故障の際、廃熱ボイラ２は、いわゆる擬似的な廃熱運転で動作する。新鮮空気送風機４は、導管４２を介して廃熱ボイラ２に、ガスタービン運転におけるものと同じ空気量を送る。その際、補助バーナ２７は、天然ガス４３によって冷たい空気を、有効な電流発生のために必要な蒸気状態が達成されるまで加熱する。
【００３３】
２つのＨＤ供給水ポンプ３１及び２つのＮＤ供給水ポンプ３２は、両方の導管３８及び３９によって、廃熱のボイラ２及び１０における両方のＨＤ蒸発器１６及び２２及び廃熱ボイラ１０におけるＮＤ蒸発器１７の必要な水供給のために供給を行なう。
【００３４】
蒸気タービン６内において消費された蒸気は、凝縮物として生じ、この凝縮物は、復水器７において冷却され、かつ復水ポンプ３３によって復水道管３４を通って供給水容器９に供給される。
【図面の簡単な説明】
【図１】図は、本発明を説明する概略的な方式図である。
【符号の説明】
１    ガスタービン
２    廃熱ボイラ
３    エコノマイザ
４    新鮮空気送風機、
５    ＨＤ蒸気ドラム
６    蒸気タービン
７    復水器、
９    供給水容器
１０  廃熱ボイラ
１１  ＨＤ蒸気ドラム
１２  ＮＤ蒸気ドラム
１３  支持管システム
１４  支持管システム
１５  吸出し送風機
１６  ＨＤ蒸発器
１７  ＮＤ蒸発器
２０  ＨＤ蒸気導管
２１  蒸気導管
２３  ＨＤ蒸気過熱器
２４  ＨＤ蒸気過熱器
２５  ＮＤ蒸気導管
２６  三方弁
２７  補助バーナ
３０  新鮮空気送風機
３１  ＨＤ供給水ポンプ
３２  ＮＤ供給水ポンプ
３３  復水ポンプ
３４  復水道管
３５  煙道ガス導管
３６  煙道ガス浄化部
３７  排気ガス煙突
３８  供給水道管
３９  供給水道管
４１  排気ガス導管
４２  導管
４３  天然ガス導管
４４  供給水道管
４５  供給水道管
４６  表面冷却器
【図１】
0003783195.tif 000002